(57)【特許請求の範囲】
【請求項１】
質問に対し、複数の回答者から回答を収集して分析するオフィス環境分析装置であって、
質問事項に対し二択での選択結果である回答情報の入力を各質問について受け付ける回答入力部と、
前記回答入力部から入力される回答情報が二択のうち第１の選択肢であるか否かを各ユーザのそれぞれの質問毎に判定する回答判定部と、
オフィスを利用するシーンを基に項目別に分類し、当該分類したシーンの項目のそれぞれについて、集計対象とするか否かを示す情報を前記質問毎に記憶するオフィスシーンテーブル記憶部と、
前記回答判定部の判定結果と、前記オフィスシーンテーブル記憶部に記憶された情報に基づいて、前記判定結果のうち、オフィスシーンテーブルにおいて集計対象となっている質問について第１の選択肢が選択された結果をシーンの項目毎に集計して第１の集計結果を生成するオフィスシーン別集計部と、
オフィスの環境構成要素を基に項目に分類し、当該分類した環境構成要素の項目のそれぞれについて、集計対象とするか否かを示す情報を前記質問毎に記憶するオフィス環境構成要素テーブル記憶部と、
前記回答判定部の判定結果と、前記オフィス環境構成要素テーブル記憶部に記憶された情報に基づいて、前記判定結果のうち、オフィス環境構成要素テーブルにおいて集計対象となっている質問について第１の選択肢が選択された結果を環境構成要素の項目毎に集計して第２の集計結果を生成するオフィス環境構成要素別集計部と、
前記オフィスシーン別集計部が生成する第１の集計結果と前記オフィス環境構成要素別集計部が生成する第２の集計結果とを参照し、シーンと環境構成要素のそれぞれの項目の組み合わせ毎に、その組み合わされた項目における第１の集計結果と第２の集計結果との集計を行って、当該集計結果を分析シート情報として生成して出力する分析シート情報生成部と、
を有することを特徴とするオフィス環境分析装置。
【請求項２】
前記質問毎に第１の係数と第２の係数を記憶する係数記憶部と、
前記各ユーザの質問毎にその回答が第１の選択肢であるか否かを判定し、当該回答が第１の選択肢である質問毎に、当該第１の選択肢の質問に対応する第１の係数と第２の係数とを読み出し、当該読み出した第１の係数を質問毎に合計して第１の合計値を算出するとともに、当該読み出した第２の係数を質問毎に合計して第２の合計値を算出する係数別集計部と、
前記第１の合計値の基準となる範囲と前記第２の合計値の基準となる範囲との組み合わせ毎にコメントを対応づけて記憶するコメント記憶部と、
前記係数別集計部が算出した結果と前記コメント記憶部に記憶された情報とに基づいて、前記第１の合計値が満たす前記第１の基準値と前記第２の合計値が満たす第２の基準値との組み合わせに対応するコメントを前記コメント記憶部から読み出して出力するコメント出力部と
を有することを特徴とする請求項１記載のオフィス環境分析装置。
【請求項３】
前記分析シート情報生成部は、
前記シーンと前記環境構成要素のそれぞれの項目の組み合わせ毎に、その組み合わされた項目における前記第１の集計結果と前記第２の集計結果との集計を行い、集計結果に基づいて、前記シーンと前記環境構成要素のそれぞれの項目の組み合わせのそれぞれの順位を決定し、当該順位に基づいて、異なる表現を設定して分析シート情報として出力する
ことを特徴とする請求項１または請求項２記載のオフィス環境分析装置。
【請求項４】
質問に対し、複数の回答者から回答を収集して分析するオフィス環境分析装置と回答者端末とが接続されるオフィス環境分析システムであって、
前記回答者端末は、
前記オフィス環境分析装置から送信される質問情報を受信する受信部と、
前記受信した質問情報に対し、二択での回答のデータ入力を受け付ける回答情報入力部と、
前記回答情報入力部から入力される回答を回答情報として前記オフィス環境分析装置に送信する送信部と、を有し、
前記オフィス環境分析装置は、
質問事項に対し二択での選択結果である回答情報の入力を各質問について前記回答者端末から受け付ける回答入力部と、
前記回答入力部から入力される回答情報が二択のうち第１の選択肢であるか否かを各ユーザのそれぞれの質問毎に判定する回答判定部と、
オフィスを利用するシーンを基に項目別に分類し、当該分類したシーンの項目のそれぞれについて、集計対象とするか否かを示す情報を前記質問毎に記憶するオフィスシーンテーブル記憶部と、
前記回答判定部の判定結果と、前記オフィスシーンテーブル記憶部に記憶された情報に基づいて、前記判定結果のうち、オフィスシーンテーブルにおいて集計対象となっている質問について第１の選択肢が選択された結果をシーンの項目毎に集計して第１の集計結果を生成するオフィスシーン別集計部と、
オフィスの環境構成要素を基に項目に分類し、当該分類した環境構成要素の項目のそれぞれについて、集計対象とするか否かを示す情報を前記質問毎に記憶するオフィス環境構成要素テーブル記憶部と、
前記回答判定部の判定結果と、前記オフィス環境構成要素テーブル記憶部に記憶された情報に基づいて、前記判定結果のうち、オフィス環境構成要素テーブルにおいて集計対象となっている質問について第１の選択肢が選択された結果を環境構成要素の項目毎に集計して第２の集計結果を生成するオフィス環境構成要素別集計部と、
前記オフィスシーン別集計部が生成する第１の集計結果と前記オフィス環境構成要素別集計部が生成する第２の集計結果とを参照し、シーンと環境構成要素のそれぞれの項目の組み合わせ毎に、その組み合わされた項目における第１の集計結果と第２の集計結果との集計を行って、当該集計結果を分析シート情報として生成して出力する分析シート情報生成部と、
を有することを特徴とするオフィス環境分析システム。
【請求項５】
質問に対し、複数の回答者から回答を収集して分析するオフィス環境分析装置となるコンピュータに、
質問事項に対し二択での選択結果である回答情報の入力を各質問について受け付ける回答入力手段、
前記回答入力手段から入力される回答情報が二択のうち第１の選択肢であるか否かを各ユーザのそれぞれの質問毎に判定する回答判定手段、
オフィスを利用するシーンを基に項目別に分類し、当該分類したシーンの項目のそれぞれについて、集計対象とするか否かを示す情報を前記質問毎に記憶するオフィスシーンテーブル記憶部を参照し、前記回答判定手段の判定結果と、前記オフィスシーンテーブル記憶部に記憶された情報に基づいて、前記判定結果のうち、オフィスシーンテーブルにおいて集計対象となっている質問について第１の選択肢が選択された結果をシーンの項目毎に集計して第１の集計結果を生成するオフィスシーン別集計手段、
オフィスの環境構成要素を基に項目に分類し、当該分類した環境構成要素の項目のそれぞれについて、集計対象とするか否かを示す情報を前記質問毎に記憶するオフィス環境構成要素テーブル記憶部を参照し、前記回答判定部の判定結果と、前記オフィス環境構成要素テーブル記憶部に記憶された情報に基づいて、前記判定結果のうち、オフィス環境構成要素テーブルにおいて集計対象となっている質問について第１の選択肢が選択された結果を環境構成要素の項目毎に集計して第２の集計結果を生成するオフィス環境構成要素別集計手段、
前記オフィスシーン別集計手段が生成する第１の集計結果と前記オフィス環境構成要素別集計手段が生成する第２の集計結果とを参照し、シーンと環境構成要素のそれぞれの項目の組み合わせ毎に、その組み合わされた項目における第１の集計結果と第２の集計結果との集計を行って、当該集計結果を分析シート情報として生成して出力する分析シート情報生成手段、
として機能させるためのプログラム。
【発明の詳細な説明】
【技術分野】
【０００１】
本発明は、執務環境を評価するオフィス環境分析装置、オフィス環境分析システム、プログラムに関する。
【背景技術】
【０００２】
従来、オフィスの内装設計を行う場合においては、オフィスワーカーからの要求を抽出するために、オフィスワーカーと直接ヒアリングを行ったり、アンケート調査を行ったりしてオフィスの居住環境の評価を行っている。それらは一般的に、室内の空気・音・光・匂いの状態や、机や収納家具の大きさ、働く人一人の専有面積、レイアウト、執務室の大きさ、天井の高さなど、物理的な側面の調査が主である。具体的には、机の数足りているか否か、自身が利用できるスペースの広さが十分か否か、などの項目があり、これらの項目に基づいてオフィスワーカーを対象に調査を行っている。
【０００３】
そして、設計者は、これらの調査結果と設計標準や同様事例等とを比較した上で設計を行っている。これにより、物理的な観点からオフィスワーカーが回答した内容に沿ったオフィス環境を構築できる。
ここで、オフィスワーカーに対しては、調査やヒアリングが行われる際、上述のような項目に従ってアンケートを行い、その結果から各種分析が行われている。例えば、このアンケートの質問は、一般に、質問数を増やすことによって、詳細な分析結果を得ることが可能である。したがって、例えば、アンケート用紙を用いて行う調査である場合、４０〜５０題の質問が行われている。
【０００４】
このようなアンケートは、質問者と回答者が直接会って行う方法もあれば、遠隔でアンケートの回答を得るものがある。例えば、特許文献１には、インターネットを介して表示データを端末に送信することによって行ったり、あるいは、電話回線を介して合成音声を電話機に送信することによって、端末に応じた出力形式によってアンケートを行うシステムが開示されている。
また、インターネットを介してアンケートを行う際、得られた回答を集計しやすいように回答情報を加工・格納するものが、例えば、特許文献２に開示されている。
また、このような遠隔でアンケートを行う仕組みを利用した、オフィス環境の調査・評価を行うものが提供されている（非特許文献１）。この非特許文献１においては、２つの手法を組み合わせて評価を行うものである。
【特許文献１】特開平８−２７２７７３号公報
【特許文献２】特開２００２−１５０９７号公報
【非特許文献１】ワークプレイス環境評価システムと評価手法、長岡朔太、菊池伸夫、ＮＴＴファシリティーズ  ジャーナル、株式会社エヌ・ティ・ティ  ファシリティーズ、平成１５年５月１５日発行
【発明の開示】
【発明が解決しようとする課題】
【０００５】
しかしながら、オフィスづくりにおいては、上記のような物理的側面だけをとらえて設計を行うだけでは必ずしも十分ではない。すなわち、物理的側面だけでなく、その空間をオフィスワーカーがどのような使い方をするか（以下、ワークスタイルと称す）、精神的な側面も考慮し、働き方のプロセスまで含めて評価することが重要である。しかし、そうした側面まで十分に含みいれて評価できるツールが必要である。
また、オフィスワーカーの要求をどのようにオフィス設計に役立てるかにおいて、定量的な手法が存在しないため、都度設計者の主観によって設計されることが多い。そうした設計は、時間がかかるのみならず、設計者の知識や経験の差によって、設計の品質に差が出やすい。
ここで、上述の特許文献１および２においては、遠隔にてアンケートを行うことができるが、オフィス環境を評価するための具体的な手法を開示するものではない。一方、非特許文献１については、複数の手法を組み合わせて評価を行うものであるが、やはり、物理的な側面に着目した評価を行うものであり、精神的な側面を考慮して評価を行うものではない。
【０００６】
本発明は、このような事情に鑑みてなされたもので、その目的は、物理的な側面以外の点についても着目し、オフィス環境を評価することができるオフィス環境分析装置、オフィス環境分析システム、プログラムを提供することにある。
【課題を解決するための手段】
【０００７】
上述した課題を解決するために、本発明は、質問に対し、複数の回答者から回答を収集して分析するオフィス環境分析装置であって、質問事項に対し二択での選択結果である回答情報の入力を各質問について受け付ける回答入力部と、前記回答入力部から入力される回答情報が二択のうち第１の選択肢であるか否かを各ユーザのそれぞれの質問毎に判定する回答判定部と、オフィスを利用するシーンを基に項目別に分類し、当該分類したシーンの項目のそれぞれについて、集計対象とするか否かを示す情報を前記質問毎に記憶するオフィスシーンテーブル記憶部と、前記回答判定部の判定結果と、前記オフィスシーンテーブル記憶部に記憶された情報に基づいて、前記判定結果のうち、オフィスシーンテーブルにおいて集計対象となっている質問について第１の選択肢が選択された結果をシーンの項目毎に集計して第１の集計結果を生成するオフィスシーン別集計部と、オフィスの環境構成要素を基に項目に分類し、当該分類した環境構成要素の項目のそれぞれについて、集計対象とするか否かを示す情報を前記質問毎に記憶するオフィス環境構成要素テーブル記憶部と、前記回答判定部の判定結果と、前記オフィス環境構成要素テーブル記憶部に記憶された情報に基づいて、前記判定結果のうち、オフィス環境構成要素テーブルにおいて集計対象となっている質問について第１の選択肢が選択された結果を環境構成要素の項目毎に集計して第２の集計結果を生成するオフィス環境構成要素別集計部と、前記オフィスシーン別集計部が生成する第１の集計結果と前記オフィス環境構成要素別集計部が生成する第２の集計結果とを参照し、シーンと環境構成要素のそれぞれの項目の組み合わせ毎に、その組み合わされた項目における第１の集計結果と第２の集計結果との集計を行って、当該集計結果を分析シート情報として生成して出力する分析シート情報生成部と、を有することを特徴とする。
【０００８】
また、本発明は、上述のオフィス環境分析装置において、前記質問毎に第１の係数と第２の係数を記憶する係数記憶部と、前記各ユーザの質問毎にその回答が第１の選択肢であるか否かを判定し、当該回答が第１の選択肢である質問毎に、当該第１の選択肢の質問に対応する第１の係数と第２の係数とを読み出し、当該読み出した第１の係数を質問毎に合計して第１の合計値を算出するとともに、当該読み出した第２の係数を質問毎に合計して第２の合計値を算出する係数別集計部と、前記第１の合計値の基準となる範囲と前記第２の合計値の基準となる範囲との組み合わせ毎にコメントを対応づけて記憶するコメント記憶部と、前記係数別集計部が算出した結果と前記コメント記憶部に記憶された情報とに基づいて、前記第１の合計値が満たす前記第１の基準値と前記第２の合計値が満たす第２の基準値との組み合わせに対応するコメントを前記コメント記憶部から読み出して出力するコメント出力部とを有することを特徴とする。
【０００９】
また、本発明は、上述のオフィス環境分析装置において、前記分析シート情報生成部は、前記シーンと前記環境構成要素のそれぞれの項目の組み合わせ毎に、その組み合わされた項目における前記第１の集計結果と前記第２の集計結果との集計を行い、集計結果に基づいて、前記シーンと前記環境構成要素のそれぞれの項目の組み合わせのそれぞれの順位を決定し、当該順位に基づいて、異なる表現を設定して分析シート情報として出力することを特徴とする。
【００１０】
また、本発明は、質問に対し、複数の回答者から回答を収集して分析するオフィス環境分析装置と回答者端末とが接続されるオフィス環境分析システムであって、前記回答者端末は、前記オフィス環境分析装置から送信される質問情報を受信する受信部と、前記受信した質問情報に対し、二択での回答のデータ入力を受け付ける回答情報入力部と、前記回答情報入力部から入力される回答を回答情報として前記オフィス環境分析装置に送信する送信部と、を有し、前記オフィス環境分析装置は、質問事項に対し二択での選択結果である回答情報の入力を各質問について前記回答者端末から受け付ける回答入力部と、前記回答入力部から入力される回答情報が二択のうち第１の選択肢であるか否かを各ユーザのそれぞれの質問毎に判定する回答判定部と、オフィスを利用するシーンを基に項目別に分類し、当該分類したシーンの項目のそれぞれについて、集計対象とするか否かを示す情報を前記質問毎に記憶するオフィスシーンテーブル記憶部と、前記回答判定部の判定結果と、前記オフィスシーンテーブル記憶部に記憶された情報に基づいて、前記判定結果のうち、オフィスシーンテーブルにおいて集計対象となっている質問について第１の選択肢が選択された結果をシーンの項目毎に集計して第１の集計結果を生成するオフィスシーン別集計部と、オフィスの環境構成要素を基に項目に分類し、当該分類した環境構成要素の項目のそれぞれについて、集計対象とするか否かを示す情報を前記質問毎に記憶するオフィス環境構成要素テーブル記憶部と、前記回答判定部の判定結果と、前記オフィス環境構成要素テーブル記憶部に記憶された情報に基づいて、前記判定結果のうち、オフィス環境構成要素テーブルにおいて集計対象となっている質問について第１の選択肢が選択された結果を環境構成要素の項目毎に集計して第２の集計結果を生成するオフィス環境構成要素別集計部と、前記オフィスシーン別集計部が生成する第１の集計結果と前記オフィス環境構成要素別集計部が生成する第２の集計結果とを参照し、シーンと環境構成要素のそれぞれの項目の組み合わせ毎に、その組み合わされた項目における第１の集計結果と第２の集計結果との集計を行って、当該集計結果を分析シート情報として生成して出力する分析シート情報生成部と、を有することを特徴とする。
【００１１】
また、本発明は、質問に対し、複数の回答者から回答を収集して分析するオフィス環境分析装置となるコンピュータに、質問事項に対し二択での選択結果である回答情報の入力を各質問について受け付ける回答入力手段、前記回答入力手段から入力される回答情報が二択のうち第１の選択肢であるか否かを各ユーザのそれぞれの質問毎に判定する回答判定手段、オフィスを利用するシーンを基に項目別に分類し、当該分類したシーンの項目のそれぞれについて、集計対象とするか否かを示す情報を前記質問毎に記憶するオフィスシーンテーブル記憶部を参照し、前記回答判定手段の判定結果と、前記オフィスシーンテーブル記憶部に記憶された情報に基づいて、前記判定結果のうち、オフィスシーンテーブルにおいて集計対象となっている質問について第１の選択肢が選択された結果をシーンの項目毎に集計して第１の集計結果を生成するオフィスシーン別集計手段、オフィスの環境構成要素を基に項目に分類し、当該分類した環境構成要素の項目のそれぞれについて、集計対象とするか否かを示す情報を前記質問毎に記憶するオフィス環境構成要素テーブル記憶部を参照し、前記回答判定部の判定結果と、前記オフィス環境構成要素テーブル記憶部に記憶された情報に基づいて、前記判定結果のうち、オフィス環境構成要素テーブルにおいて集計対象となっている質問について第１の選択肢が選択された結果を環境構成要素の項目毎に集計して第２の集計結果を生成するオフィス環境構成要素別集計手段、前記オフィスシーン別集計手段が生成する第１の集計結果と前記オフィス環境構成要素別集計手段が生成する第２の集計結果とを参照し、シーンと環境構成要素のそれぞれの項目の組み合わせ毎に、その組み合わされた項目における第１の集計結果と第２の集計結果との集計を行って、当該集計結果を分析シート情報として生成して出力する分析シート情報生成手段、として機能させるためのプログラムである。
【発明の効果】
【００１２】
以上説明したように、本発明によれば、オフィスに関するアンケートを行い、この結果に基づいて、オフィスシーンとオフィス環境構成要素との２つの面につて、集計対象とするか否かに基づいて、質問事項に対する二択の結果に関連性がある事項を導き出して評価するようにしたので、オフィスの物理的な側面の他に雰囲気等の精神的な面も含めた評価を行うことができ、また、質問事項に対する二択の結果に関連性がある事項を導き出して評価するようにしたので、回答者が回答した範囲に含まれていない点（意識していない点）も考慮した評価を行うことができる。これにより、雰囲気等の精神的な面も含めた設計・改善提案をすることが可能となる。
また、アンケートに対する回答を、集計対象とするか否かに応じてオフィスシーンとオフィス環境構成要素とを集計するようにしたので、少ない個数の質問から多様な意味解釈をし、オフィス環境の評価を行うことができる。また、集計対象とするか否かに応じてオフィスシーンとオフィス環境構成要素とを集計するようにしたので、回答者が意識していない点についても評価を行うことができる。
また、従来のように多数の質問をすることによる回答者にかかる負担を低減することができる。
【発明を実施するための最良の形態】
【００１３】
以下、本発明の一実施形態によるオフィス環境分析システムについて図面を参照して説明する。図１は、この発明の一実施形態によるオフィス環境分析装置を適用したオフィス環境分析システムの構成を示す概略ブロック図である。
この図においては、オフィス環境分析システム１は、オフィス環境分析装置１００が、ネットワーク２００を介して複数の回答者端末３００に接続される。
オフィス環境分析装置１００は、複数の回答者端末３００から送信される回答の情報を収集し、オフィス環境についての分析をし、分析結果を出力する。この出力先については、特定の端末（ここでは、例えば管理者端末）であってもよいし、回答者端末３００であってもよい。
【００１４】
ネットワーク２００は、インターネットやＬＡＮ（ローカルエリアネットワーク）等によって構成され、オフィス環境分析装置１００と回答者端末３００との間の情報を送受信する。
回答者端末３００は、オフィス環境分析装置１００に接続し、このオフィス環境分析装置１００から送信される質問情報を表示画面に表示し、この質問に対してユーザによって回答として入力される情報をオフィス環境分析装置１００に送信する。この回答者端末３００は、オフィス環境分析装置１００から送信される質問情報を受信する受信部と、受信した質問情報に対し、二択での回答のデータ入力を受け付ける回答情報入力部と、回答情報入力部から入力される回答を回答情報としてオフィス環境分析装置１００に送信する送信部とを有する。
【００１５】
次に、上述のオフィス環境分析装置１００についてさらに説明する。図２は、オフィス環境分析装置１００の構成を示す概略ブロック図である。
この図において、回答入力部１０１は、質問事項に対し二択（例えば、「はい」または「いいえ」）での選択結果である回答情報の入力を各質問について回答者端末３００から受け付ける。
回答判定部１０２は、回答入力部１０１から入力される回答情報が二択のうち第１の選択肢であるか否かを各ユーザのそれぞれの質問毎に判定する。この第１の選択肢は、例えば「はい」である。また、回答判定部１０２は、第１の選択肢が選択された個数を各質問毎にカウントし、所定の記憶領域に記憶する。
【００１６】
オフィスシーンテーブル記憶部１０３は、オフィスを利用するシーンを基に項目別に分類し、当該分類したシーンの項目のそれぞれについて、集計対象とするか否かを示す情報を質問毎に記憶する。このシーンは、例えば、そのオフィスの設備・建物等の物理的な構成要素を対象として、複数の項目に分類するものであり、その項目としては、アカデミー、レセプション、レビュー、オフィスを利用している他のユーザとコミュニケションを図る場所や設備が対象であるコミュニティー、ステーション、スィンク、休憩する場所や設備等が対象であるブレイクなどがある。
【００１７】
オフィス環境構成要素テーブル記憶部１０４は、オフィスの環境構成要素を基に項目に分類し、当該分類した環境構成要素の項目のそれぞれについて、集計対象とするか否かを示す情報を前記質問毎に記憶する。このオフィス環境構成要素は、例えば、そのオフィスの設備・建物に付加される環境の要素を対象として、複数の項目に分類するものであり、その項目としては、ルール、制度、雰囲気、ツール、空間などがある。
なお、このオフィスシーンテーブル記憶部１０３とオフィス環境構成要素テーブル記憶部１０４との項目および項目の数は、そのオフィスの分析を行う上で適切な項目と項目数にすればよい。また、項目数は、オフィスシーンテーブル記憶部１０３とオフィス環境構成要素テーブル記憶部１０４とで一致していてもよく、一致していなくてもよい。
【００１８】
オフィスシーン別集計部１０５は、回答判定部１０２の判定結果と、オフィスシーンテーブル記憶部１０３に記憶された情報に基づいて、判定結果のうち、オフィスシーンテーブルにおいて集計対象となっている質問について第１の選択肢（例えば、「はい」）が選択された結果をシーンの項目毎に集計して第１の集計結果（オフィスシーン別集計結果）を生成する。
【００１９】
オフィス環境構成要素別集計部１０６は、回答判定部１０２の判定結果と、オフィス環境構成要素テーブル記憶部１０４を参照し、判定結果のうち、オフィス環境構成要素テーブルにおいて集計対象となっている質問について第１の選択肢（例えば、「はい」）が選択された結果を環境構成要素の項目毎に集計して第２の集計結果（オフィス環境構成要素別集計結果）を生成する。
【００２０】
分析シート情報生成部１０７は、オフィスシーン別集計部１０５が生成する第１の集計結果とオフィス環境構成要素別集計部１０６が生成する第２の集計結果とを参照し、シーンと環境構成要素のそれぞれの項目の組み合わせ毎に、その組み合わされた項目における第１の集計結果と第２の集計結果との集計を行って、当該集計結果を分析シート情報として生成して出力する。
また、分析シート情報生成部１０７は、分析シート情報を生成する場合、シーンと環境構成要素のそれぞれの項目の組み合わせ毎に、その組み合わされた項目における第１の集計結果と第２の集計結果との集計を行い、集計結果に基づいて、シーンと環境構成要素のそれぞれの項目の組み合わせのそれぞれの順位を決定し、当該順位に基づいて、異なる表現を設定して分析シート情報として出力することも可能である。
【００２１】
係数記憶部１０８は、質問毎に第１の係数と第２の係数を記憶する。
係数別集計部１０９は、各ユーザの質問毎にその回答が第１の選択肢（例えば、「はい」）であるか否かを判定し、当該回答が第１の選択肢である質問毎に、当該第１の選択肢の質問に対応する第１の係数と第２の係数とを読み出し、当該読み出した第１の係数を質問毎に合計して第１の合計値を算出するとともに、当該読み出した第２の係数を質問毎に合計して第２の合計値を算出する。
【００２２】
コメント記憶部１１０は、第１の合計値の基準となる範囲と第２の合計値の基準となる範囲との組み合わせ毎にコメントを対応づけて記憶する。
出力部１１１は、分析シート情報生成部１０７によって生成される分析シート情報を出力する。この出力は、他の回答者端末３００あるいは所定の端末にデータを送信するようにしてもよいし、表示装置に情報を表示するようにしてもよい。
【００２３】
また、出力部１１１は、コメント出力部１１２を有する。
コメント出力部１１２は、係数別集計部１０９が算出した結果とコメント記憶部１１０に記憶された情報とに基づいて、第１の合計値が満たす第１の基準値と第２の合計値が満たす第２の基準値との組み合わせに対応するコメントをコメント記憶部１１０から読み出して出力する。
【００２４】
アンケート情報記憶部１１３は、オフィス環境分析装置１００が行うアンケートの質問を含む情報をアンケート情報として記憶する。
アンケート配信部１１４は、アンケートを行う対象となるユーザの回答者端末３００に対し、アンケート記憶部１１３に記憶されたアンケート情報を読み出して送信する。
アイディア・ルール記憶部１１５は、オフィスのシーンや環境を作るために必要な対応策の情報であるアイディア・ルール情報を記憶する。この情報は、分析シート情報生成部１０７によって読み出され、分析シート上に分析結果として設定される。
【００２５】
次に、オフィス環境分析装置１００に記憶される情報について説明する。
図３は、オフィスシーンテーブル記憶部１０３に記憶される情報の一例を示す図である。この図において、各質問で集計対象とする環境要素の枠内に、「○」のマークを付し、入れておく。
図４は、オフィス環境構成要素テーブル記憶部１０４に記憶される情報の一例を示す図である。この図において、各質問で集計対象とするシーンの枠内に、「○」のマークを付し、入れておく。
【００２６】
図５は、コメント情報記憶部１１０に記憶される情報の一例を示す図面である。
この図に示すように、第１の合計値の基準となる範囲と第２の合計値の基準となる範囲との組み合わせ毎にグループ番号が対応付けされている。ここでは、例えば、第１の合計値が０〜０．３までであって、第２の合計値が０〜０．３までである場合は、グループ７として分類される。このコメント情報記憶部１１０には、以下の図６に示す情報も記憶される。
【００２７】
図６は、コメント情報記憶部１１０に記憶される情報の一例を示す図面である。この図においては、グループ番号とコメントが対応付けされて予め記憶される。このグループ番号は、図５において分類されたグループ番号に対応している。この図６に示すように、グループ番号別に、予めコメントを用意しておく。
【００２８】
図７は、係数記憶部１０８に記憶される情報の一例を示す図面である。この図において、質問毎に第１の係数と第２の係数とが対応づけて記憶されている。この図において、第１の係数は、ＬＩＶＥ係数として、第２の係数がＬＩＮＫ係数として記憶されている。ここで、ＬＩＶＥ係数における「ＬＩＶＥ」とは、この実施形態においては、活動的、高め合う等の意味を有している。例えば、オフィスワーカーが活動的であるとか、オフィスワーカーが仕事やオフィス環境によって高め合うことができるか否かの目安となる。
ＬＩＮＫ係数における「ＬＩＮＫ」とは、この実施形態においては、つながり合う、協調し合う、など個人の能力がつながり合って集団の能力になること等の意味を有している。例えば、オフィスワーカー同士が連係し合うことができたり、互いに協調性を発揮できる等の目安となる。このＬＩＶＥ係数、ＬＩＮＫ係数は、経験や実績データ等に基づき、それぞれ係数を記憶しておき、ともに、その数値が高い方が、その度合いが高いことを示す。
【００２９】
図８は、アンケート情報記憶部１１３に記憶されるアンケート情報の一例を示す図である。ここでは、オフィスに関する質問事項（符号ａ）の他に、回答者の属性を特定するための質問（符号ｂ）も合わせて記憶される。
オフィスに関する質問事項は、ここでは、１０個の質問事項があり、それぞれ回答として「はい」か「いいえ」を選択するようになっている。属性を特定するための質問は、回答者の会社名、組織名、業務特性、職責、通勤時間、喫煙に関する項目がある。
【００３０】
図９は、アイディア・ルール記憶部１１５に記憶される情報の一例を示す図である。この図において、アイディア・ルール情報は、オフィス環境構成要素の項目とオフィスシーンの項目との組み合わせ毎に、その組み合わせに対応する対応策が記憶される。この対応策は、複数記憶され、対応策のそれぞれに対応策ランクが設定されており（図示せず）、後述する分析ランクに対応する対応策ランクが設定された対応策が読み出されるようになっている。ここでは、例えば、１つの対応策に、分析ランクが複数設定されていてもよい。具体的には、「対応策１」という対応策に対し、分析ランクとして分析ランクＡ、Ｂ、Ｄが設定されている場合は、分析ランクＡ、Ｂ、Ｄのいずれの場合であっても、「対応策１」が読み出されるようになっている。
【００３１】
図１０は、第１の選択肢が選択された個数のカウント結果の一例を示す図である。回答入力部１０１から入力される回答が得られると、回答判定部１０２がその回答の各質問毎に「はい」が選択されているか否かを判定し、各質問において「はい」が選択された個数（「はい」を選択した人数）をカウントし、自身が有するメモリ領域に記憶する。ここでは、回答者を識別する回答者ＩＤに対応づけて、質問毎に「はい」が選択された場合に「１」、「いいえ」が選択された場合に「０」として記憶し、質問毎に「１」の数をカウントし、合計として記憶する（符号ａ）とともに、平均値を算出して記憶（符号ｂ）する。
【００３２】
図１１は、オフィス環境構成要素別集計部１０６の集計結果の一例を示す図である。ここでは、評価したい部分に「○」の印が付された集計項目に、回答判定部１０２が算出した質問毎の平均値のうち、対応する質問の平均値が書き込まれる。この書き込みは、オフィス環境構成要素別集計部１０６によって、オフィス環境構成要素別集計部１０６が有するメモリ領域に書き込まれる。例えば、Ｑ１における平均値が「０．６」であって、「ルール」に「○」（集計対象）であった場合には、「ルール」の項目に「０．６」が書き込まれる。
【００３３】
オフィス環境構成要素別集計部１０６は、集計対象の項目に、回答判定部１０２が算出した平均値をそれぞれ書き込んだ後、オフィス環境構成要素毎にＱ１〜Ｑ１０のうち書き込まれた平均値を合計して平均値を算出する。このオフィス環境構成要素毎の平均値は、「単純点数」として書き込まれる。
また、図示していないが、オフィスシーンの項目についても同様に、オフィスシーン別集計部１０５が、オフィス環境構成要素の項目毎に、回答判定部１０２が算出した質問毎の平均値のうち、対応する質問の平均値を所定のメモリ領域に書き込み、この平均値をオフィス環境構成要素の項目毎に合計して平均値を算出する。
【００３４】
図１２は、分析ランクの一例を示す図である。この図に示すように、分析ランクがＡ〜Ｅまで５段階に分類されており、それぞれの分析ランクに該当する点数が対応づけて記憶される。この点数は、例えば、単純点数である。
【００３５】
図１３は、分析シート情報生成部１０７が生成する、シーンと環境構成要素のそれぞれの項目の組み合わせ毎の集計結果である点数表の一例を示す図である。
この図において、例えば、シーンが「スィンク」であって、環境構成要素が「空間」の組み合わせについては、「６５点」の集計結果が書き込まれて記憶されている。
【００３６】
図１４は、分析シート情報生成部１０７が決定した順位を示す順位表の一例を表す図である。この図において、例えば、順位は、「１」から「３５」まで付されており、図１３における点数が高い項目ほど、順位を表す数が大きくなる。例えば、図１３において、環境構成要素が「空間」であって、シーンが「ステーション」の組み合わせについては、「６７点」が記憶されており、この点数が最も高いので、この図１４においては順位が「３５」に設定されて記憶される。
【００３７】
次に、オフィス環境分析装置１００の動作について説明する。図１５は、オフィス環境分析装置１００の動作を説明するフローチャートである。
まず、オフィス環境分析装置１００は、回答者端末３００からのアクセスを受け付けて、アンケート情報記憶部１１３からアンケート情報を読み出して送信する（ステップＳ１０１）。
回答者端末３００においてアンケート情報に対して回答が入力され、回答情報として送信されると、オフィス環境分析装置１００の回答判定部１０２は、回答入力部１０１によって受信する回答情報を参照し、各質問について「はい」の回答であるか否かを判定する（ステップＳ１０２）。判定結果が「はい」の回答である質問については、判定結果として「１」が記憶され、「いいえ」の回答である質問については、「０」が記憶される。そして、回答判定部１０２は、質問毎に、回答結果が「１」の数をカウントし、そのカウント結果から「はい」が回答された数の平均値を各質問について算出する（ステップＳ１０３）。
【００３８】
カウント結果の平均値が各質問について算出されると、オフィスシーン別集計部１０５は、オフィスシーン別に点数を計算する（ステップＳ１０４）。ここでは、集計対象となっている質問におけるカウント結果の平均値をオフィスシーンの項目毎に集計し、オフィスシーン毎に平均値を算出する。ここでは、集計対象となっている質問におけるカウント結果の平均値をオフィス環境構成要素の項目毎（「スィンク」、「ステーション」、「コミュニティー」、「レビュー」、「レセプション」、「アカデミー」、「ブレイク」のそれぞれの項目）に集計し、オフィス環境構成要素毎に平均値を算出する。この算出された平均値が単純点数として書き込まれる。
【００３９】
一方、オフィス環境構成要素集計部１０６は、オフィス環境構成要素別に点数を計算する（ステップＳ１０５）。例えば、「ルール」の項目については、平均値「５５」が算出され、これが単純点数として設定される。「制度」、「雰囲気」、「ツール」、「空間」の項目についても、それぞれ平均値が算出され、算出された平均値が単純点数として設定される。
【００４０】
オフィスシーンの項目毎の点数とオフィス環境構成要素の項目毎の点数が算出されると、分析シート情報生成部１０７は、オフィスシーンの項目とオフィス環境構成要素の項目との組み合わせについての点数表を生成する（ステップＳ１０６）。この点数表の生成は、その組み合わせされた項目に設定された点数の平均値を算出し、算出結果をその組み合わせの項目に書き込むことによって行う。例えば、「空間」の項目の点数が「６３」点であり、「スィンク」の項目の点数が「６７」点である場合、これらの点数の平均点が「６５」点として算出され、「空間」と「スィンク」の組み合わせの欄に、「６５」点が書き込まれる。この計算を各項目の組み合わせ毎にそれぞれ行い、点数表を生成する。生成された点数表のデータは、分析シート情報生成部１０７が有する所定のメモリに記憶される。
【００４１】
点数表が生成されると、分析シート情報生成部１０７は、順位表を作成する（ステップＳ１０７）。ここでは、生成された点数表を参照し、点数が高い欄ほど、順位を表す数が大きくなるように順位が設定され、点数表とは別に順位表が生成され、分析シート情報生成部１０７が有するメモリに記憶される。ここで、点数が同一である場合には、同じ順位を設定するようにしてもよいし、また、オフィスシーンの項目やオフィス環境構成要素の項目にそれぞれ優先度を付しておき、この優先度に基づいて、優先度が下がるにつれて順位を下げるようにして順位を決定するようにしてもよい。
【００４２】
さらに、分析シート情報生成部１０７は、点数表に基づいて、分析ランクをオフィスシーンの項目とオフィス環境構成要素の項目の組み合わせのそれぞれの欄に設定する（ステップＳ１０８）。ここでは、例えば、「空間」と「スィンク」の項目の組み合わせについては、「６５」点であるので、例えば図１２に示す分析ランク一覧を参照して、分析ランクを「Ａ」として決定する。この分析ランクの設定は、オフィスシーンの項目とオフィス環境構成要素の項目の組み合わせのそれぞれの欄について行われる。
【００４３】
次に、分析ランクが決定すると、出力部１１１は、オフィスシーンの項目とオフィス環境構成要素の項目との組み合わせの欄のそれぞれについて、その組み合わせの欄に対応する対応策であって、分析ランクに対応する対応策をアイディア・ルール記憶部１１５から読み出し（ステップＳ１０９）、各欄に書き込み、分析シート情報を生成する。ここでは、複数記憶されている対応策のうち、分析ランクに対応する対応策が読み出される。
分析シート情報が分析シート情報生成部１０７によって生成されると、出力部１１１は、この分析シート情報を出力する（ステップＳ１１０）。ここでは、対応策が各欄に設定されているが、この対応策の他に、分析ランクを各欄に重ねた分析シート情報を生成しておき、表示するようにしてもよい。
【００４４】
分析シート情報が出力されると、係数別集計部１０９は、各ユーザの質問毎にその回答が「はい」であるか否かを判定し、「はい」である質問毎に、この質問に対応する第１の係数と第２の係数とを読み出す。そして、読み出した第１の係数を質問毎に合計して第１の合計値を算出するとともに、第２の係数についても、読み出した第２の係数について質問毎に合計して第２の合計値を算出する（ステップＳ１１１）。
【００４５】
第１の合計値と第２の合計値とが算出されると、出力部１１１は、算出された係数に対応するコメントをコメント記憶部１１０から読み出し（ステップＳ１１２）、読み出したコメント情報に基づいて、出力する（ステップＳ１１３）。ここで、出力部１１１は、点数の順位に応じて異なる表示を行う。
【００４６】
図１６は、表示装置の画面上に分析シート情報が表示された場合の一例を示す図面である。ここでは、オフィスシーンの項目とオフィス環境構成要素の項目との組み合わせのそれぞれの欄について、分析ランクが表示されるとともに、分析ランクに応じた対応策がこの分析ランクに重ね合わせて表示される。また、これらの欄については、順位に従って欄内の背景が異なる色によって表示される。
この分析シート情報のうち、対応策を参照することにより、その欄に対応するオフィスシーンとオフィス環境構成要素とを改善するためにどのようなことをすればよいかを参考にすることができる。
また、これらの欄に付された色を参照することにより、どの欄に対応する項目を優先して対応すればよいかを参考にすることができる。例えば、順位を表す数が大きい場合（点数が高いもの）については、背景が濃い色であって対応策を表示する色と似た色によって表示し、順位を表す数が小さい場合（点数が低いもの）については、背景が薄い色であって対応策を表示する色と相違が大きい色によって表示する。これにより、背景が薄く、対応策の文字の色との相違が大きい欄については、他の欄と比べて視認しやすくなり、これにより、優先して対応したほうがよい欄が把握しやすくなる。
また、ここでは、分析ランクは点数に従って設定され、背景の色が項目の順位によって設定されるようになっているので、分析ランクがいずれの項目においても高い場合であっても、各項目に順位が設定されているので、分析ランクが高いなかであっても、どの欄を重視して対策をすればよいかを把握できる。
【００４７】
図１７は、表示装置の画面上に表示された個人向けの分析シート表示された場合の一例を示す図面である。
ここでは、符号ａに示すポートフォリオ分析表には、算出されたＬＩＶＥ係数とＬＩＮＫ係数（第１の合計値と第２の合計値）に応じた位置にプロットされ、回答者自身の属性として表示される。また、ここでは、他の回答者のそれぞれの結果をプロットし、自身のプロットと異なるプロットのマークにて表示するようにしてもよい。これにより、回答者自身が全体に対し、どのあたりに属するのかを把握することが可能となる。
【００４８】
符号ｂに示すヒアリング集計表には、各質問毎に「はい」と回答した人の全体に対する割合が集計されて表示される。また、ここでは、Ｑ１からＱ１０のうち、Ｑ１（必要な情報を入手しやすい環境であるか否かに関する問い）に近い質問ほどＬＩＶＥ係数に対する関連の度合いが高いことを表し、Ｑ１０（回りの人に自慢したくなる環境であるか否かに関する問い）に近い質問ほどＬＩＮＫ係数に対する関連の度合いが高いことを示す。
符号ｃに示すコメント欄には、コメント記憶部１１０から読み出されたコメントが表示される。
【００４９】
符号ｄに示す表示欄には、オフィスシーンの項目毎に分析された結果がレーダーチャートによって表示される。例えば、オフィスシーンの項目の点数がレーダーチャートによって表示される。
符号ｅに示す表示欄には、オフィス環境構成要素の項目毎に分析された結果がレーダーチャートによって表示される。例えば、オフィス環境構成要素の項目の点数がレーダーチャートによって表示される。
符号ｆに示す表示欄にも、コメントを表示することが可能となっており、符号ｃに示すコメントとは異なるコメントを表示するようにしてもよい。
【００５０】
以上説明した実施形態によれば、オフィスシーンとオフィス環境構成要素とにおける項目を設定しておき、これらの項目について、二択の回答に該当する集計結果と対象として集計するようにしたので、物理的側面だけでなく、精神的側面として、オフィスで仕事をする際における回りの人との関係や、オフィスでの過ごしやすさ・快適さなどを考慮した評価を行うことが可能となる。
【００５１】
また、以上説明した実施形態において、分析シートを回答者端末に送信するようにしたが、これをオフィスを設計する設計者の端末に送信し、設計者が、この分析シートの内容を手がかりに、回答者のオフィス環境を設計するようにすることもできる。また、設計者が回答者の企業に対し、改善の提案を行ったりすることが可能となる。ここでは、分析シートを参考にすることができるので、設計者の分析や評価の経験が短いものであっても、経験が長い者に近い評価を行うことが可能となる。
【００５２】
また、図１におけるオフィス環境分析装置１の機能を実現するためのプログラムをコンピュータ読み取り可能な記録媒体に記録して、この記録媒体に記録されたプログラムをコンピュータシステムに読み込ませ、実行することによりオフィス環境の分析処理を行ってもよい。なお、ここでいう「コンピュータシステム」とは、ＯＳや周辺機器等のハードウェアを含むものとする。
【００５３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００５４】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００５５】
【図１】この発明の一実施形態によるオフィス環境分析装置を適用したオフィス環境分析システムの構成を示す概略ブロック図である。
【図２】オフィス環境分析装置１００の構成を示す概略ブロック図である。
【図３】オフィスシーンテーブル記憶部１０３に記憶される情報の一例を示す図である。
【図４】オフィス環境構成要素テーブル記憶部１０４に記憶される情報の一例を示す図である。
【図５】コメント情報記憶部１１０に記憶される情報の一例を示す図面である。
【図６】コメント情報記憶部１１０に記憶される情報の一例を示す図面である。
【図７】係数記憶部１０８に記憶される情報の一例を示す図面である。
【図８】アンケート情報記憶部１１３に記憶されるアンケート情報の一例を示す図である。
【図９】アイディア・ルール記憶部１１５に記憶される情報の一例を示す図である。
【図１０】第１の選択肢が選択された個数のカウント結果の一例を示す図である。
【図１１】オフィスシーン別集計部１０５の集計結果の一例を示す図である。
【図１２】分析ランクの一例を示す図である。
【図１３】分析シート情報生成部１０７が生成する、シーンと環境構成要素のそれぞれの項目の組み合わせ毎の集計結果である点数表の一例を示す図である。
【図１４】分析シート情報生成部１０７が決定した順位を示す順位表の一例を表す図である。
【図１５】オフィス環境分析装置１００の動作を説明するフローチャートである。
【図１６】表示装置の画面上に分析シート情報が表示された場合の一例を示す図面である。
【図１７】表示装置の画面上に表示された個人向けの分析シート表示された場合の一例を示す図面である。
【符号の説明】
【００５６】
１  オフィス環境分析システム                １００  オフィス環境分析装置
１０１  回答入力部                          １０２  回答判定部
１０３  オフィスシーンテーブル記憶部        
１０４  オフィス環境構成要素テーブル記憶部  １０５  オフィスシーン別集計部
１０６  オフィス環境構成要素別集計部        １０７  分析シート情報生成部
１０８  係数記憶部                          １０９  係数別集計部
１１０  コメント記憶部                      １１１  出力部
１１２  コメント出力部                      １１３  アンケート情報記憶部
１１４  アンケート配信部                    １１５  アイディア・ルール記憶部
２００  ネットワーク                        ３００  回答者端末
【図１】
0004500846.tif 000002
【図２】
0004500846.tif 000003
【図３】
0004500846.tif 000004
【図４】
0004500846.tif 000005
【図５】
0004500846.tif 000006
【図６】
0004500846.tif 000007
【図７】
0004500846.tif 000008
【図８】
0004500846.tif 000009
【図９】
0004500846.tif 000010
【図１０】
0004500846.tif 000011
【図１１】
0004500846.tif 000012
【図１２】
0004500846.tif 000013
【図１３】
0004500846.tif 000014
【図１４】
0004500846.tif 000015
【図１５】
0004500846.tif 000016
【図１６】
0004500846.tif 000017
【図１７】
0004500846.tif 000018